(57)【要約】 
【課題】  ヒータユニットの組み込み安定性を図り、ヒータから発せられた熱で火鉢の開口部上方を集中的に暖める。
【解決手段】  火鉢５内に組み込むヒータユニットは、天板１ａを備えた基枠１の上に、ヒータ取り付け板２を前記天板１ａに対して所定間隔を保って平行に配置して、天板１ａとヒータ取り付け板２との間に空気通路を設ける。ヒータ取り付け板２には、中央に開口されている通気窓２ａに加熱部を臨ませた状態でハロゲンランプ６，６，６を取り付けると共に、火鉢５内を下側空間と上側空間とに二分する遮蔽翼４を周設する。基枠には水平度を調整可能な脚体１ｄ、１ｄ・・を設け、遮蔽翼４は、外縁が火鉢５の内壁面に接触しないサイズとする。
【選択図】  図２
0003101001.tif 000002
【実用新案登録請求の範囲】
【請求項１】
火鉢内に組み込まれる電気式のヒータユニットであって、所定高さを有した基枠の上にヒータ取り付け部を設け、ヒータ取り付け部には、中央に開口されている通気窓に加熱部を臨ませた状態でヒータが取り付けられると共に、火鉢内を下側空間と上側空間とに二分する遮蔽翼が周設されている火鉢用ヒータユニット。
【請求項２】
ヒータ取り付け部は平板状で、そのヒータ取り付け部を基枠に設けられている天板に対して所定間隔を保って平行に配置することにより、基枠とヒータ取り付け部との間に空気通路を設けた請求項１に記載の火鉢用ヒータユニット。
【請求項３】
基枠には水平度を調整可能な脚体が設けられている請求項１又は２に記載の火鉢用ヒータユニット。
【請求項４】
遮蔽翼を、外縁が火鉢の内壁面に接触しない大きさとした請求項１乃至３のいずれかに記載の火鉢用ヒータユニット。
【請求項５】
遮蔽翼を複数に分割可能とした請求項１〜４のいずれかに記載の火鉢用ヒータユニット。
【請求項６】
ヒータの上部が、ヒータ取り付け部と共に、中央部が一段高く盛り上がった網状のカバーにて覆われている請求項１〜５のいずれかに記載の火鉢用ヒータユニット。
【請求項７】
基枠内に電源制御機器を配置可能とした請求項１〜６のいずれかに記載の火鉢用ヒータユニット。
【考案の詳細な説明】
【技術分野】
【０００１】
本考案は、電気式のヒータを熱源とし、火鉢に組み込んで暖をとるための火鉢用ヒータユニットに関する。
【背景技術】
【０００２】
生活環境の近代化に伴い、家庭用暖房器具には、加熱手段に石油式、ガス式、電気式と様々な方式を採用した商品が流通していて、それらはワンタッチ操作で室内を快適な温度に暖めてくれるものの、今一つ情緒に欠ける。
それに対して日本間の真ん中に火鉢がひっそりと置かれた光景には、古き良き時代を彷彿とさせる日本独特の情緒があって、その雰囲気に浸かりたいのは、何も年配者に限られるものではない。
そのような火鉢は、暖をとるだけでなく、やかんをかけておけば、いつでもお茶を入れられるし、発生する蒸気で充分な加湿効果も得られ、又、じっくりと時間をかけて餅を焼くには最適といえる。
昔ながらの炭を燃すオリジナルタイプの火鉢は、今や珍しくなってしまったが、その代わりとして、特開平８−２６１４７３号公報に記載のような石油式や、特開平１０−１６０１６８号公報、実用新案登録第３０６５４４８号公報に開示のような電気式のヒータを使用するタイプとして復活してきている。
石油式は、オリジナルタイプと同様に、換気に気を付けなくてはならないし、燃料補給といった煩わしさがつきまとう。
又、ユニット全体の大半が燃焼器と燃料タンクとで占められ、大きく重い。
その点電気式のヒータを利用するタイプは、臭いが無く換気にも気をつかわなくていいし、スイッチ一つでＯＮ／ＯＦＦすることができるため、電源さえ確保できれば取り扱いは簡単である。
【考案の開示】
【考案が解決しようとする課題】
【０００３】
石油式に比べて取り扱い至便である特許文献２や特許文献３に記載されている電気式の火鉢用ヒータユニットは、いずれも上縁フランジ部を火鉢の上縁部に係止させることにより吊り下げ状態で組み付けられるため、火鉢を傾けたり転倒させたりすると、ヒータがユニットごと外れて外に飛び出してしまう虞れがある。
又、前者は天板冷却用として、後者は排気用としてファンを併用する構造になっているため、静寂な中ではファンの音が耳障りとなる。
【課題を解決するための手段】
【０００４】
本考案は、組み込んだ際の安定性を確保すると共に、ファンレス構造によって耳障りな音の発生源をなくした火鉢の提供を目的とした火鉢用ヒータユニットであって、その構成は。所定高さを有した基枠の上にヒータ取り付け部を設け、ヒータ取り付け部には、中央に開口されている通気窓に加熱部を臨ませた状態でヒータが取り付けられると共に、火鉢内を下側空間と上側空間とに二分する遮蔽翼が周設されていることにある。
【０００５】
前記基台には水平度を調整可能な脚体を設けたり、遮蔽翼の外縁を火鉢の内壁面に接触しない大きさとしたり、遮蔽翼を複数に分割可能としたり、基枠は天板を備えたものとし、その天板とヒータ取り付け枠との間に空間を確保したり、ヒータの上部を、ヒータ取り付け部と共に、中央部が一段高く盛り上がった網状のカバーにて覆ったり、基枠内に電源制御機器を配置可能とすることができる。
【考案の効果】
【０００６】
火鉢の内底部に組み付けるため、転倒しても飛び出すことがなく、加熱空気の上昇により中央に開口した通気窓から内部の空気が誘い出され、火鉢の近くで対流を起こして火鉢の近傍が効率よく暖められる。
【０００７】
そして遮蔽翼を分割可能とすれば、開口部より大きい遮蔽翼を火鉢内に組み込むことができ、その遮蔽翼を外縁が火鉢の内壁面に接触しない大きさとすれば、火鉢の内面と遮蔽翼の外苑との隙間から外気を誘い入れ、理想的な空気の流れを生成する。
又、ヒータを網状のカバーで覆うことにより、ヒータを保護すると共に、カバー表面をほぼ均一な温度にすることができ、電源制御機器を基枠内に配置させれば、火鉢内に水がこぼれ落ちても濡れ防止となる。
【考案を実施するための最良の形態】
【０００８】
本考案に係る火鉢用ヒータユニットを図面に基づいて説明する。
図１はヒータユニットを個々の部材に分解して示した説明図、図２はそのヒータユニットが火鉢内に組み込まれた状態を示した垂直断面説明図、図３はヒータユニットが火鉢内に組み込まれた状態の平面図であり、１は円形の天板１ａと底板１ｂとを３本の支柱１ｃ、１ｃ、１ｃにて上下二段に組み付けた基枠であり、底板１ｂには、高さ調節用の脚体１ｄ、１ｄ、・・が取り付けられている。
【０００９】
２はヒータ取り付け部を構成するヒータ取り付け板であって、中央に円形の通気窓２ａが大きく開口したリング状を呈しており、スペーサロッド３、３を介して上板１ａと所定間隔を保った状態に組み付けられている。
それによって、ヒータ取り付け枠２と天板１ａとの間には空気流路が確保されている。
このヒータ取り付け枠２には、遮蔽翼４が周設される。
【００１０】
遮蔽翼４は円弧状の二枚を組み合わせれば、ヒータ取り付け枠２を囲むドーナツ状に形成されるように二分割されており、外縁が陶器製で丸形をして火鉢５の内縁に接触しない大きさに形成されている。そのため、壺状の火鉢でも、分割することによって内部より小さな上面開口を通過させることが可能となり、火鉢５内に組み付けた場合は、遮蔽翼４の外縁と火鉢５の内周面との間に間隙が形成される。
【００１１】
この実施例では、ヒータ取り付け枠２に、Ｕ字状のハロゲンヒータ６、６，６が、加熱部を通気口２ａに臨ませた状態で３本取り付けられる。
尚、ヒータはＵ字状のハロゲンヒータに限定するものでなく、例えば４本の直管を平行に配置することもでき、種類や形状、本数などは適宜変更可能である。
そしてヒータ５の上部は、中央部が一段高く盛り上がった網状のカバー７にて覆われる。
【００１２】
基枠は火鉢の底に固定され、基枠の底板上には、ハロゲンヒータの発熱量をコントロールする電源制御器８が格納される。
火鉢の底面には、水抜き穴９と脚体挿通孔１０とが形成されていて、脚体挿通孔１０に挿通した脚体１ｄをナットで締着する際、ナットのねじ込み位置を変化させることによって、基枠１が水平になるよう調整する。
【００１３】
このように形成されたヒータユニットは、火鉢内に組み付ける際、前述したように遮蔽翼が分割可能になっているので、遮蔽翼より小さな開口部を通過させることができる。
又、陶器製の火鉢は、焼成により歪みが発生していることが多く、内定面が水平とは限らないが、前記したように、基台には高さ調整可能な脚体が設けられているので、基台の水平度を確保できる。
【００１４】
そして、火鉢内は、遮蔽翼でヒータ取り付け板より下方は隠され、恰も灰が入っている印象を与える。
電源ＯＮによりヒータが加熱されると、ヒータ付近の暖まった空気が上昇を始め、それに伴ってヒータの下に開口された通気窓から火鉢内の空気が誘い出される。
火鉢内へは、誘い出されて減少した空気に相当する分の空気が、遮蔽翼と火鉢内壁との隙間を通って火鉢内へ導入される。
【００１５】
この実施例では、天板の上に、その天板と距離を保ってヒータ取り付け枠が配置されているので、火鉢内に導入された空気は、天板と取り付け板との間に形成された空気通路内に吸い込まれて通気窓からスピーディに導出される。
この空気の流れに沿った循環経路を漂い続ける対流現象により、熱の拡散が抑えられ、火鉢上方が効率よく暖められる。
【００１６】
前記説明では丸形の陶器製火鉢を例示したが、木製の角形、金属製の多角形状など、火鉢の材質や形状、デザインは自由に選択できるし、遮蔽翼の分割数を３や４にしたり、不等分に分割してもかまわない。
ヒータ取り付け部は、ヒータ取り付け板と遮蔽翼とを一体に形成したり、基枠上に直接設けることもできる。
又、ヒータの上方をガラス張りとし、通気窓から上昇する空気の流れを遮って、その上昇しようとする空気を耐熱ガラスの周囲から放出させて火鉢の周囲を暖めるようにしたり、着脱式のカバーを採用したり、五徳を利用可能にすることもできる。
【００１７】
更に、基枠に脚体を設けることによって、基枠の底板が火鉢の内定面から浮いた状態になっているので、基枠に電気制御器を格納すれば、火鉢内にこぼれ落ちた水で底が濡れても、電気的トラブルの心配はない。
尚、水平度が要求されるのはヒータ取り付け部であるから、ヒータ取り付け枠を基枠と別体に形成しておけば、基枠が水平に固定されていなくとも、ヒータ取り付け枠と基枠との相互間において間隔を調整することにより、ヒータ取り付け枠を水平になるよう調整することもできる。
【図面の簡単な説明】
【００１８】
【図１】ヒータユニットの分解説明図である。
【図２】ヒータユニットが組み込まれた火鉢の垂直断面説明図である。
【図３】ヒータユニットが組み込まれた火鉢の平面図である。
【符号の説明】
【００１９】
１・・基枠、１ａ・・天板、１ｂ・・底板、１ｃ・・支柱、１ｄ・・脚体、２・・ヒータ取り付け板、３・・スペーサ、４・・遮蔽翼、５・・火鉢、６・・ハロゲンランプ、７・・カバー、８・・電源制御器。
【図１】
0003101001.tif 000003
【図２】
0003101001.tif 000004
【図３】
0003101001.tif 000005